(57)【要約】【課題】転倒による衝撃が加わった際に、パネルがシャーシ部材の変形に追従することがないため、パネルのガラスの破損を防止することができる映像表示装置を提供する。【解決手段】映像を表示するパネル２１と、パネル２１を支持するシャーシ１１と、パネル２１の表示面の裏面とシャーシ１１との間に配され、パネル２１とシャーシ１１とに粘着している第１の粘着シート２２、第２の粘着シート２３ａ及び２３ｂとを備え、パネル２１の裏面の外周縁部近傍に配された第２の粘着シート２３ａ及び２３ｂの粘着力を、パネル２１の裏面の中央部分に配された第１の粘着シート２２の粘着力よりも低くした。【選択図】図２
2010015097.tif 000002
【特許請求の範囲】
【請求項１】
映像を表示可能なパネルと、
前記パネルを支持する略平板状のシャーシと、
前記パネルの表示面の裏面と前記シャーシとの間に配され、前記パネルと前記シャーシとに粘着している粘着手段とを備え、
前記粘着手段は、
前記パネルの裏面の外周縁部近傍における粘着力を、前記パネルの裏面の中央部分における粘着力よりも低くした、映像表示装置。
【請求項２】
前記パネルは、映像表示エリアの縦横の長さ寸法が異なり、
前記粘着手段は、前記パネルの長手方向の両端部近傍における粘着力を、前記パネルの中央部における粘着力よりも低くした、請求項１記載の映像表示装置。
【請求項３】
前記粘着手段は、
熱伝導性を有する材料で形成されている、請求項１または２に記載の映像表示装置。
【発明の詳細な説明】
【技術分野】
【０００１】
本発明は、大画面で、薄型、軽量のディスプレイ装置として知られているプラズマディスプレイ装置などの映像表示装置に関する。特に、落下衝撃に対して改良した構造に関する。
【背景技術】
【０００２】
近年、薄型テレビの普及が進んでいるが、中でもプラズマディスプレイ装置は、高速の表示が可能であり、視野角が広いこと、大型化が容易であること、自発光型であるため表示品質が高いことなどの理由から、多くの人が集まる場所での表示装置や家庭で大画面の映像を楽しむための表示装置として開発が進められている。
【０００３】
このプラズマディスプレイ装置に用いられるパネルは、大別して、駆動的にはＡＣ型とＤＣ型があり、放電形式では面放電型と対向放電型の２種類があるが、高精細化、大画面化および製造の簡便性から、現状では主流は、３電極構造の面放電型のものである。
【０００４】
この面放電型のプラズマディスプレイのパネル構造は、少なくとも前面側が透明な一対の基板を基板間に放電空間が形成されるように対向配置するとともに、前記放電空間を複数に仕切るための隔壁を基板に配置し、かつ前記隔壁により仕切られた放電空間で放電が発生するように基板に電極群を配置するとともに放電により発光する赤色、緑色、青色に発光する蛍光体を設けて複数の放電セルを構成したもので、放電により発生する波長の短い真空紫外光によって蛍光体を励起し、赤色、緑色、青色の放電セルからそれぞれ赤色、緑色、青色の可視光を発することによりカラー表示を行っている。
【０００５】
このようなプラズマディスプレイ装置においては、例えば特許文献１に記載されているように、ガラスが主材料のパネルをアルミニウムなどの金属製のシャーシ部材の前面側に粘着性を有した放熱シートで保持させ、そのシャーシ部材の背面側にパネルを発光させるための駆動回路を構成する回路基板を配置し、シャーシ部材の周縁部で複数のフレキシブル配線板によりパネルと回路基板を接続することにより、パネルモジュールを構成している。パネルモジュールは、シャーシ部材の周縁部でフレキシブル配線板の間に設けられた複数の突出部により、前面枠に設けられた取り付け金具に固定されて、前面枠とバックカバーからなる筐体内に収容される構造である。
【特許文献１】特開２００７−１２１８２９号公報
【発明の開示】
【発明が解決しようとする課題】
【０００６】
しかしながら従来の構成では、パネルがガラスでありかつ大型であるために重量があり、設置などの際に誤って前面側へ転倒させるなどした場合に、落下衝撃でパネル前面方向へ自重による加速度がかかると、パネルモジュールが周縁部で固定支持されるため中央部が沈む状態で瞬間的に撓み変形が生じる。この時、特に支持距離の長いパネルモジュールの長辺側が大きく撓むことで、ガラス製のパネルが破損してしまうという問題があった。
【０００７】
本発明の目的は、転倒による衝撃が加わった際に、パネルがシャーシ部材の変形に追従することがないため、パネルのガラスの破損を防止することができる映像表示装置を提供することである。
【課題を解決するための手段】
【０００８】
本発明の映像表示装置は、映像を表示可能なパネルと、前記パネルを支持する略平板状のシャーシと、前記パネルの表示面の裏面と前記シャーシとの間に配され、前記パネルと前記シャーシとに粘着している粘着手段とを備え、前記粘着手段は、前記パネルの裏面の外周縁部近傍における粘着力を、前記パネルの裏面の中央部分における粘着力よりも低くしたものである。
【発明の効果】
【０００９】
本発明によれば、パネルの短辺部近傍に配された粘着手段の粘着力が低いために、転倒等による衝撃が加わった際に、シャーシが撓み変形するのに伴いシャーシとの間で剥離を生じさせることができる。したがって、パネルがシャーシの変形に追従しないため、パネルが撓むことによる破損を防止することができる。
【発明を実施するための最良の形態】
【００１０】
（実施の形態）
図１は、本実施の形態におけるプラズマディスプレイ装置の外観を示す斜視図である。図１に示すように、プラズマディスプレイ装置１は、主に略薄板状の本体の主平面に、映像を表示可能な表示部２を備えて構成されている。
【００１１】
図２は、本実施の形態のプラズマディスプレイ装置の分解斜視図を示す。図２において、矢印Ｘが指している側を「前面側」と定義し、矢印Ｙが指している側を「背面側」と定義する。図２に示すように、プラズマディスプレイ装置は、シャーシ部材１０、パネル部材２０、および前面筐体３０を備えている。なお、説明の便宜上、シャーシ部材１０の背面側に配される背面筐体などの図示は省略した。シャーシ部材１０は、シャーシ１１、駆動回路基板１２ａ〜１２ｃ、固定部１３、固定部１４、リブ１５を備えている。パネル部材２０は、パネル２１、第１の粘着シート２２、第２の粘着シート２３ａ及び２３ｂ、フレキシブル配線板２４を備えている。
【００１２】
シャーシ１１は、略長方形状でかつ薄板状のアルミニウムなどの金属で形成され、パネル部材２０を前面筐体３０に支持させるためのものである。また、シャーシ１１は、熱伝導性に優れた材料で形成することで放熱板としての機能を有する。また、シャーシ１１は、背面側の主平面に駆動回路基板１２ａ〜１２ｃ及びリブ１５を備えている。また、シャーシ１１の長辺部には、その面方向に突出するように、複数の固定部１３が形成されている。固定部１３は、シャーシ１１を前面筐体３０に支持するための部位であり、シャーシ１１を前面筐体３０に固定する際にネジを挿通可能な孔部１３ａが形成されている。また、シャーシ１１の短辺部には、その面方向に突出するように、複数の固定部１４が形成されている。固定部１４は、シャーシ１１を前面筐体３０に支持するための部位であり、シャーシ１１を前面筐体３０に固定する際にネジを挿通可能な孔部１４ａが形成されている。
【００１３】
リブ１５は、シャーシ１１の変形を抑えるために設けられている。シャーシ１１は、薄板状であるとともに、アルミニウムなどの弾性変形可能な金属で形成されているため、その主平面の法線方向に撓み変形を生じる可能性がある。本実施の形態のようにリブ１５を備えることで、シャーシ１１の撓み変形を抑えることができる。
【００１４】
駆動回路基板１２ａ〜１２ｃは、パネル２１を表示駆動させるための駆動回路を備えている。駆動回路基板１２ａは、主平面１１ａにおける長辺方向両端部近傍にそれぞれ配されている。駆動回路基板１２ｂは、主平面１１ａにおける短辺方向両端部にそれぞれ配されている。駆動回路基板１２ｃは、主平面１１ａの略中央近傍に配されている。
【００１５】
図３は、パネル部材２０の平面図である。図３において、パネル２１は、複数の放電セルが形成されているガラス基板で形成されている。また、パネル２１は、シャーシ１１の前面側に第１の粘着シート２２及び第２の粘着シート２３によって貼着されている。
【００１６】
第１の粘着シート２２は、パネル２１の背面側の主平面における中央部に配置される。また、第１の粘着シート２２は、パネル２１から発せられる熱をシャーシ１１へ伝える放熱機能と、パネル部材２０をシャーシ部材１０に保持固定する機能とを有する。なお、第１の粘着シート２２の幅寸法Ｗ１は、パネル２１の幅寸法Ｗ２の約２／３とすることが好ましい。また、第１の粘着シート２２は、粘着手段の一例である。
【００１７】
第２の粘着シート２３ａ及び２３ｂは、パネル２１の背面側の主平面における短辺側周縁部に所定の幅で配置されている。また、第２の粘着シート２３ａ及び２３ｂは、パネル２１で発せられた熱をシャーシ１１へ伝える放熱機能を有する。また、第２の粘着シート２３ａ及び２３ｂは、第１の粘着シート２２と概同等の厚さであり、パネル２１およびシャーシ１１との表面密着性を高めるための粘着力を有している。また、第１の粘着シート２２、第２の粘着シート２３ａ及び２３ｂには、パネル２１の発熱を効率的にシャーシ１１へ伝えるため、アクリルやシリコンなどの樹脂材料に熱伝導性を高めるフィラーなどを含有させたものが用いられる。また、第２の粘着シート２３ａ及び２３ｂのシャーシ１１との粘着面における粘着力は、第１の粘着シート２２のシャーシ１１との粘着面における粘着力よりも低い。また、第２の粘着シート２３ａ及び２３ｂは、粘着手段の一例である。
【００１８】
フレキシブル配線板２４は、パネル２１の周縁部において、一定の間隔で配されている。また、フレキシブル配線板２４は、パネル２１の面方向に突出するように配されている。また、パネル２１の短辺部に配されたフレキシブル配線板２４は、シャーシ１１の短辺側に形成された固定部１４の間の空間１４ｂを通り、シャーシ１１の外周部で引き回されて、駆動回路基板１２ａに電気的に接続するように配される。また、パネル２１の長辺部に配されたフレキシブル配線板２４は、シャーシ１１の長辺側に形成された固定部１３の間の空間１３ｂを通り、シャーシ１１の外周部で引き回されて、駆動回路基板１２ｂに電気的に接続するように配される。
【００１９】
図４Ａは、図１におけるＺ−Ｚ部の断面を示し、構成を明瞭に図示するためにＺ−Ｚ部の端部近傍の要部断面図とした。
【００２０】
パネルモジュール４０は、シャーシ部材１０とパネル部材２０とが、第１の粘着シート２２と第２の粘着シート２３ａ及び２３ｂとにより貼着固定されて構成されている。また、パネルモジュール４０は、固定部１３及び１４を前面筐体３０に設けられた取り付け金具３２にネジ３４で締結固定することにより、前面筐体３０に固定されている。また、バックカバー５０が、前面筐体３０にネジ５１により締結固定されている。
【００２１】
このようにして構成されたプラズマディスプレイ装置１は、前面側が鉛直下向きになる姿勢で転倒した際の衝撃を受けた瞬間に、図４Ａに示す状態からシャーシ１１やパネル２１などからなるパネルモジュール４０（図２参照）が、自重により矢印Ａに示す方向（シャーシ１１の主面の法線方向）へ変位する。パネルモジュール４０が変位すると、シャーシ１１は、第１の粘着シート２２によってパネル部材２０が固定されているとともに固定部１４が前面筐体３０に固定されているため、固定部１３及び１４を支点にして矢印Ａに示す方向に撓みが生じる。特に、パネル部材２０における支持距離の長い長辺方向において、大きな撓み変形が生じる。図４Ｂは、シャーシ１１において撓み変形が生じた状態を示す。
【００２２】
図４Ｂに示すように、パネルモジュール４０が矢印Ａに示す方向へ変位した場合、シャーシ１１における長辺方向両端部近傍が撓む。シャーシ１１が大きく撓むことにより、パネル２１の短辺方向の両端側にそれぞれ配置した第２の粘着シート２３ａ及び２３ｂがシャーシ１１から剥離する。これは、第２の粘着シート２３ａ及び２３ｂが第１の粘着シート２２よりも接着強度が低いからである。これにより、シャーシ１が撓み変形したとしても、パネル２１がシャーシ１１の変形に追従せず、パネル２１の撓み変形が抑制される。したがって、パネル２１の破損を防止することができる。
【００２３】
また、シャーシ１１は、弾性変形可能な材料で形成されているため、図４Ｂに示すように変形した後は図４Ａに示す元の形状に復帰する。シャーシ１１が図４に示す形状に復帰すると、第２の粘着シート２３ａ及び２３ｂとパネル２１とが再び貼着され、第２の粘着シート２３ａ及び２３ｂの表面の粘着力で再びパネル２１とシャーシ１１との密着が保たれる。
【００２４】
以上のように本実施の形態によれば、シャーシ１１とパネル２１とを第１の粘着シート２２と第２の粘着シート２３ａ及び２３ｂとで互いに密着させることにより、プラズマディスプレイ装置１を転倒させてしまった場合などでパネルモジュール４０が矢印Ａに示す方向に変位したとしても、第２の粘着シート２３ａ及び２３ｂがシャーシ１１から剥離するため、パネル２１がシャーシ１１の変形に追従して変形することがない。したがって、パネル２１の破損を防止することができる。
【００２５】
なお、本実施の形態では、図３に示すようにパネル２１の長辺方向の両端部近傍に第２の粘着シート２３ａ及び２３ｂを配したが、さらにパネル２１の短辺方向の両端部近傍に配する構成としてもよい。
【００２６】
また、本実施の形態では、第１の粘着シート２２、第２の粘着シート２３ａ及び２３ｂは放熱機能を備える構成としたが、アクリルやシリコンなどの樹脂材料のみで形成し、放熱機能を備えない構成としてもよい。
【００２７】
また、本実施の形態では、プラズマディスプレイ装置１を転倒等させた際に、パネルモジュール４０が図４Ｂに示すように変位し、第２の粘着シート２３ａ及び２３ｂとシャーシ１１とが剥離する構成としたが、第２の粘着シート２３ａ及び２３ｂとシャーシ１１との粘着力を高くして、第２の粘着シート２３ａ及び２３ｂとパネル２１とが剥離する構成としてもよい。
【００２８】
また、本実施の形態では、プラズマディスプレイ装置を一例として挙げたが、液晶ディスプレイ装置や有機ＥＬディスプレイ装置にも応用が可能である。
【産業上の利用可能性】
【００２９】
本発明は、前面転倒などの耐衝撃性に優れ、画面サイズが大きなプラズマディスプレイ装置に有用である。
【図面の簡単な説明】
【００３０】
【図１】実施の形態におけるプラズマディスプレイ装置の全体構成を示す斜視図
【図２】プラズマディスプレイ装置の分解斜視図
【図３】パネル部材の平面図
【図４Ａ】図１におけるＺ−Ｚ部の要部断面図
【図４Ｂ】図１におけるＺ−Ｚ部の要部断面図（前面落下時）
【符号の説明】
【００３１】
１  プラズマディスプレイ装置
１０  シャーシ部材
２０  パネル部材
２１  パネル
２２  第１の粘着シート
２３ａ、２３ｂ  第２の粘着シート
【図１】
2010015097.tif 000003
【図２】
2010015097.tif 000004
【図３】
2010015097.tif 000005
【図４Ａ】
2010015097.tif 000006
【図４Ｂ】
2010015097.tif 000007